(57)【要約】【課題】信号線を簡易な構造で保持し、信号線の撓みを防止できる配線保持装置を提供すること。【解決手段】配線保持装置１０７は、安定した所定の形状から変形された場合に、変形の度合いに応じた復元力を発生させる信号線１０６と、保持部材３０１とを備え、保持部材３０１は、巻回された状態の信号線１０６を保持する。保持部材３０１は、固定用リング材３１２を備えるホルダ３１０と、移動用リング材３２１を備えたスライダ３２０と、を備え、スライダ３２０は、ホルダ３１０にスライド自在に保持される。信号線１０６は、配線保持装置１０７からの繰り出し・引き込みに応じて、巻回された巻き径を変え、スライダ３２０をスライドさせる。【選択図】図３
2008307341.tif 000002
【特許請求の範囲】
【請求項１】
電子機器同士を接続する信号線を保持する配線保持装置において、
前記信号線の一部を束ねる複数のリング部材と、
複数の前記リング部材を、前記信号線が巻回された状態となる複数の位置でそれぞれ保持するホルダと、
を備えることを特徴とする配線保持装置。
【請求項２】
前記ホルダは、
複数の前記リング部材のうちの少なくとも一つを、
他のリング部材に対し、近接または離間する方向に移動可能に保持することを特徴とする請求項１に記載の配線保持装置。
【請求項３】
前記ホルダは、
前記リング部材を、
巻回された状態の前記信号線の巻き径を可変させる方向に移動可能に保持することを特徴とする請求項１または２に記載の配線保持装置。
【請求項４】
前記信号線は、
安定した所定の形状から変形された場合に、変形の度合いに応じた復元力を発生させる材質によりなることを特徴とする請求項１〜３のいずれか一つに記載の配線保持装置。
【請求項５】
巻回させた状態の前記信号線の巻き径を大きくする方向に、前記リング部材を付勢する付勢手段を備えたことを特徴とする請求項１〜４のいずれか一つに記載の配線保持装置。
【請求項６】
前記信号線の両端には、前記電子機器の接続端子に接続される固定部材を備えたことを特徴とする請求項１〜５のいずれか一つに記載の配線保持装置。
【請求項７】
前記信号線の一端側は、
パチンコ遊技機または回胴遊技機に設けられた非接触ＩＣタグまたは前記非接触ＩＣタグからの信号を受信する受信アンテナと接続され、
前記信号線の他端側は、
前記パチンコ遊技機または前記回胴遊技機の外に設けられ、前記非接触ＩＣタグからの信号情報に基づいて不正を検出する検出装置と接続されることを特徴とする請求項１〜６のいずれか一つに記載の配線保持装置。
【発明の詳細な説明】
【技術分野】
【０００１】
この発明は、パチンコ遊技機や回胴遊技機などの各種遊技機に設けられた信号線を保持する配線保持装置に関する。
【背景技術】
【０００２】
従来、たとえば、パチンコ遊技機は、大当たり入賞が生成された乱数に基づき、所定の確率で発生するようにあらかじめプログラムされた基板を備えるものがある。大当たり入賞においては、たとえば、大入賞口が一定の期間開放を所定し、入賞した遊技球に応じ、賞球数の払い出しをおこなう。そして、顧客（遊技者）は獲得した賞球数に応じて、所望の景品を獲得することができる。したがって、いかに多くの遊技球を入賞口に入賞させることができるかが遊技の鍵となる。そのため、遊技者の中には、不正に賞球を得るため、パチンコ遊技機の大当たり確率を変更した不正な基板（いわゆる裏ロム）に交換するといった不正行為をおこなう、いわゆるゴト師が後を絶たないのが現状である。これによって、パチンコ店を営む店舗が被る損害も甚大なものになっている。
【０００３】
上述した現状を踏まえ、パチンコ遊技機メーカは、あらかじめ非接触ＩＣタグなどを配設した基板（もしくは基板ケース）を搭載したパチンコ遊技機の開発をおこなっている。しかし、すでに店舗に導入されている機種においては、非接触ＩＣタグを別途に購入し、装着する必要がある。この場合、機種によって、非接触ＩＣタグを配設する場所が異なったり、当該非接触ＩＣタグの情報を検出する検出装置の場所がパチンコ遊技機の隣に配置された遊技媒体貸出装置内に設けられたりする場合がある。
【０００４】
図１３は、従来のパチンコ遊技機を示す背面図（その１）である。図１３に示すように、パチンコ遊技機１３０１は、遊技媒体貸出装置１３０２と接続された状態で設置される。パチンコ遊技機１３０１は、電子部品が実装された複数の基板を有する本体部１３０１ａと、本体部１３０１ａを囲むようにして形成された機枠１３０１ｂと、によって構成される。
【０００５】
本体部１３０１ａは、機枠１３０１ｂに対して、図１３中符号Ａで示す軸を回転軸として正面側に回動可能に設けられている。たとえば、パチンコ遊技機１３０１のメンテナンスをおこなう際には、本体部１３０１ａが機枠１３０１ｂに対して正面側へ回動され開放される。基板近傍には、非接触ＩＣタグ１３０３が配設されている。受信アンテナ１３０４は、信号線１３０６によって、遊技媒体貸出装置１３０２に設けられた検出器１３０５と接続され、不正基板への交換があったか否かを検出する。
【０００６】
ここで、受信アンテナ１３０４と、検出器１３０５と、に接続された信号線１３０６の長さは、メンテナンスなどで本体部１３０１ａを開く必要性から、もっとも長さが必要な状態（すなわち、本体部１３０１ａがもっとも正面側へ回動された状態）での長さで設計される。
【０００７】
図１４は、従来のパチンコ遊技機を示す背面図（その２）である。このため、本体部１３０１ａを閉じる際には、図１３に示したように、信号線１３０６が撓み、撓んだ信号線１３０６が、本体部１３０１ａと、機枠１３０１ｂとの間に挟まれ断線したり、作業者の手が引っかかるなどして作業性が低下したりするという問題があった。このため、たとえば、あらかじめ余剰な長さの分の信号線を収容装置内部に収容する配線収容装置を備えるものがある（たとえば、下記特許文献１参照。）。
【０００８】
【特許文献１】特開２００４−４１２９１号公報
【発明の開示】
【発明が解決しようとする課題】
【０００９】
しかしながら、上記特許文献１にかかる従来技術にあっては、たとえば、信号線の両端の位置が固定されている状態での接続を前提としているため、必要な信号線の長さが変化する場合（たとえば、信号線の一端側の位置が変位する場合）などには対応できないという問題が一例として挙げられる。すなわち、あらかじめ、信号線の両端の位置が固定されている場合は、余剰な分の信号線は収容できるが、一端側が接続された非接触ＩＣタグ（受信アンテナ）の位置が変わるなどして、必要な信号線の長さが変化する場合には対応できず、この場合、上述したように撓んだ信号線が断線したり、作業性を低下させたりするという問題があった。
【００１０】
また、上記特許文献１にかかる従来技術にあっては、配線収容装置自体が、たとえば、演出用のランプ風車装置と一体として設けられるため、構造が複雑化するという問題が一例として挙げられる。このため、配線収容装置自体の、製造時のコストや故障する可能性が増大し、保守や点検などの作業も煩雑になるという問題があった。
【００１１】
この発明は、上述した従来技術による問題点を解消するため、信号線を簡単な構造で保持でき、保持した信号線の巻き径を変化させることで信号線の長さの変化に対応でき、撓みを防止して、非接触ＩＣタグ（受信アンテナ）の取り付け位置を選ばず、接続作業の終了後にも容易に信号線の長さを調節できる配線保持装置を提供することを目的とする。
【課題を解決するための手段】
【００１２】
上述した課題を解決し、目的を達成するために、請求項１にかかる配線保持装置は、電子機器同士を接続する信号線を保持する配線保持装置において、前記信号線の一部を束ねる複数のリング部材と、複数の前記リング部材を、前記信号線が巻回された状態となる複数の位置でそれぞれ保持するホルダと、を備えることを特徴とする。
【００１３】
また、請求項２にかかる配線保持装置は、上記に記載の発明において、前記ホルダは、複数の前記リング部材のうちの少なくとも一つを、他のリング部材に対し、近接または離間する方向に移動可能に保持することを特徴とする。
【００１４】
また、請求項３にかかる配線保持装置は、上記に記載の発明において、前記ホルダは、前記リング部材を、巻回された状態の前記信号線の巻き径を可変させる方向に移動可能に保持することを特徴とする。
【００１５】
また、請求項４にかかる配線保持装置は、上記に記載の発明において、前記信号線は、安定した所定の形状から変形された場合に、変形の度合いに応じた復元力を発生させることを特徴とする。
【００１６】
また、請求項５にかかる配線保持装置は、上記に記載の発明において、巻回させた状態の前記信号線の巻き径を大きくする方向に、前記リング部材を付勢する付勢手段を備えたことを特徴とする。
【００１７】
また、請求項６にかかる配線保持装置は、上記に記載の発明において、前記信号線の両端には、前記電子機器の接続端子に接続される固定部材を備えたことを特徴とする。
【００１８】
また、請求項７にかかる配線保持装置は、上記に記載の発明において、前記信号線の一端側は、パチンコ遊技機または回胴遊技機に設けられた非接触ＩＣタグまたは前記非接触ＩＣタグからの信号を受信する受信アンテナと接続され、前記信号線の他端側は、前記パチンコ遊技機または前記回胴遊技機の外に設けられ、前記非接触ＩＣタグからの信号情報に基づいて不正を検出する検出装置と接続されることを特徴とする。
【００１９】
上記の構成によれば、複数のリング部材を用いて巻回された状態の信号線を保持し、複数のリング部材のうちの少なくとも一つが移動可能なため、巻回された状態の信号線の巻き径を変えることができる。これにより、配線保持装置が保持する信号線の長さを変えることができ、信号線を引き込み・繰り出し自在に保持することができる。また、巻き径を大きくする方向に信号線を付勢することにより、信号線を配線保持装置内部に引き込み、撓みを防止することができる。
【発明の効果】
【００２０】
この発明にかかる配線保持装置によれば、信号線を簡単な構造で保持できるとともに、信号線の繰り出しに対して、保持している信号線の巻き径が変化し、撓みを防止し、また、非接触ＩＣタグ（受信アンテナ）の取り付け位置を選ばず、接続作業の終了後にも容易に信号線の長さを調節できるという効果を奏する。
【発明を実施するための最良の形態】
【００２１】
以下に添付図面を参照して、この発明にかかる配線保持装置の好適な実施の形態を詳細に説明する。以下に示す、実施の形態は、この発明にかかる配線保持装置をパチンコ遊技機に適用した一例である。
【００２２】
（実施の形態１）
（パチンコ遊技機の基本構成）
まず、この発明の実施の形態１にかかる配線保持装置を適用したパチンコ遊技機について説明する。図１は、実施の形態１の配線保持装置を適用したパチンコ遊技機を示す背面図（その１）である。図示の例では、パチンコ遊技機１０１は、本体部１０１ａが機枠１０１ｂに嵌め込まれており、遊技媒体貸出装置１０２と接続されている。
【００２３】
本体部１０１ａは、公知の技術のため図示および説明を省略するが、主基板、演出基板、賞球基板などの複数の各種制御基板が設けられている。また、本体部１０１ａは、これらの各種制御基板を覆う基板ケース１１０（１１０ａ、１１０ｂ、１１０ｃ）と、該基板ケース１１０ｃを覆う裏カバー１２０と、を有している。
【００２４】
具体的には、たとえば、基板ケース１１０は、透明ケースによって形成されており、外部から主基板、演出基板、賞球基板などの各種制御基板の不正改造や、不正基板への交換ができないように該各種制御基板の上面および側面を覆う構成である。具体的には、たとえば、主基板は基板ケース１１０ａ、賞球基板は基板ケース１１０ｂ、演出基板は基板ケース１１０ｃにそれぞれ覆われている。
【００２５】
また、裏カバー１２０は、透明ケースによって構成されており、基板ケース１１０ｃの外側に配設されている接続ケーブルを保護する。具体的には、たとえば、裏カバー１２０は、各種制御基板やその他本体部１０１ａの部品に接続される接続ケーブルを保護する構成である。
【００２６】
遊技媒体貸出装置１０２は、パチンコ店などの遊技場に設置される遊技機（たとえば、パチンコ遊技機、回胴式遊技機）での遊技に使用する遊技球や遊技メダルなどの遊技媒体を貸し出すコンピュータ装置である。すなわち、遊技媒体貸出装置１０２は、たとえば、遊技者から投入された入金情報に応じて、遊技媒体の貸し出しに関する信号をパチンコ遊技機１０１に送信する機能を有する。この遊技媒体貸出装置１０２は、たとえば、隣接する遊技機と一対一で設置される。遊技媒体貸出装置１０２は、図示しない配線によりパチンコ遊技機１０１との間で信号を送受する。
【００２７】
そして、パチンコ遊技機１０１には、基板ケース１１０や各種制御基板に非接触ＩＣ（Ｉｎｔｅｇｒａｔｅｄ  Ｃｉｒｃｕｉｔ）タグ１０３が設置される。また、遊技媒体貸出装置１０２には、該非接触ＩＣタグ１０３からの電波を受信する受信アンテナ１０４が設置される。検出器１０５は、受信アンテナ１０４によって受信される非接触ＩＣタグ１０３からの電波の状態によって、基板ケース１１０や各種制御基板への不正行為を検知する。受信アンテナ１０４と、検出器１０５とは、信号線１０６により接続される。
【００２８】
信号線１０６は、たとえば、芯線と、絶縁体被覆と、から構成される。芯線は、たとえば、銅などの導電体が用いられ、一端側から入力された信号を他端側へ伝達する。絶縁体被覆は、たとえば、ポリエチレン、ポリプロピレン、ポリ塩化ビニル、ゴムなどが用いられ、導体と外部との接触、信号の損失などを防止する。信号線１０６の両端は、たとえば、一端側１０６ａは受信アンテナ１０４と半田付けされ、他端側１０６ｂは検出器１０５に設けられた端子と端子接続される。
【００２９】
また、信号線１０６は、安定した所定の形状から変形された場合に、変形の度合いに応じた復元力を発生させる。安定した所定の形状とは、たとえば、真っ直ぐな形状である。復元力は、芯線または絶縁体被覆の単体のみで生じさせることとしてもよいし、芯線および絶縁体被覆の両方で生じさせることとしてもよい。
【００３０】
具体的には、たとえば、復元力は、信号線１０６の芯線としての、軟銅線にすずめっきを施したもの、すず銅線にすずめっきを施したもの、軟銅線に銀めっきを施したものなどによって生じさせることとしてもよいし、ポリ塩化ビニル、ゴムなどの絶縁体被覆によって生じさせることとしてもよいし、その両方によって生じさせることとしてもよい。
【００３１】
配線保持装置１０７は、巻回された状態の信号線１０６を保持する。配線保持装置１０７は、たとえば、受信アンテナ１０４と検出器１０５とに接続された信号線１０６の中央付近に位置し、配線保持装置１０７を中心として、信号線１０６の引き込みや繰り出しをおこなう。
【００３２】
図２は、実施の形態１の配線保持装置を適用したパチンコ遊技機を示す正面図である。遊技盤２０１の下部位置に配置された発射部（図示を省略する）の駆動によって発射された遊技球は、レール２０２ａ、２０２ｂ間を上昇して遊技盤２０１の上部位置に達した後、遊技領域２０３内を落下する。遊技領域２０３には、図示を省略する複数の釘が設けられ、遊技球を各種の方向に向けて落下させるとともに、落下途中の位置には、遊技球の落下方向を変化させる風車や、入賞口が配設されている。
【００３３】
遊技盤２０１の遊技領域２０３の中央部分には、図柄表示部２０４が配置されている。図柄表示部２０４としては、たとえば液晶表示器（ＬＣＤ）が用いられる。なお、図柄表示部２０４としては、ＬＣＤに限らずＣＲＴなどを用いることもできる。図柄表示部２０４の下方には、始動入賞させるための始動入賞口２０５が配設されている。図柄表示部２０４の左には、それぞれ入賞ゲート２０６が配設されている。
【００３４】
入賞ゲート２０６は、遊技球の通過を検出し、始動入賞口２０５を一定時間だけ開放させる抽選をおこなうために設けられる。図柄表示部２０４の側部や下方などには普通入賞口２０７が配設されている。普通入賞口２０７に遊技球が入賞すると、普通入賞時の賞球数（たとえば１０個）の払い出しをおこなう。遊技領域２０３の最下部には、どの入賞口にも入賞しなかった遊技球を回収する回収口２０８が設けられている。
【００３５】
上述した図柄表示部２０４は、特定の入賞口に遊技球が入賞したとき（始動入賞時）に、複数の図柄の表示の変動を開始させ、所定時間後に図柄が停止する。この停止時に特定図柄（たとえば「７７７」）に揃ったとき、大当たり状態となる。大当たり状態のとき、下方に位置する大入賞口２０９が一定の期間開放を所定ラウンド（たとえば１５ラウンド）繰り返し、入賞した遊技球に対応した賞球数を払い出す。
【００３６】
遊技媒体貸出装置１０２は、紙幣投入口２１１と、ディスプレイ２１２と、操作ボタン２１３と、会員カード投入口２１４と、精算コイン投入口２１５と、精算コイン返却口２１６と、を備えている。
【００３７】
紙幣投入口２１１は、遊技媒体の借り入れ時に投入される紙幣を受け付ける。ディスプレイ２１２は、紙幣投入口２１１に投入された紙幣の投入金額や遊技機の異常を示す異常情報を表示する。操作ボタン２１３は、機能設定に関する各種の入力や遊技者による暗証番号の入力などを受け付ける。
【００３８】
会員カード投入口２１４は、遊技場の会員に対して発行される会員カードの投入を受け付け、また、投入された会員カードの返却をおこなう。精算コイン投入口２１５は、たと
えば、会員以外の遊技者、いわゆるビジターである遊技者が使用する精算コインの投入を受け付ける。精算コイン返却口２１６は、遊技終了時などに、残額のある精算コインを返却する。
【００３９】
（実施の形態１の配線保持装置の構成）
つぎに、この発明の実施の形態１にかかる配線保持装置について説明する。図３は、実施の形態１の配線保持装置を示す斜視図（その１）である。図３に示したように、実施の形態１の配線保持装置１０７は、信号線１０６と、保持部材３０１と、を備えており、信号線１０６が保持部材３０１に巻回された状態で設置される。
【００４０】
保持部材３０１は、ホルダ３１０と、スライダ３２０とを備えている。ホルダ３１０は、たとえば、プラスチックなどを用いて、高さがＨ、幅Ｗ（Ｈ＞Ｗ）、奥行きＤの直方体形状に形成される。ホルダ３１０には、幅方向の中央部に、長手方向に沿ってスライド溝３１１が形成される。
【００４１】
固定用リング材３１２は、ホルダ３１０の長手方向の一端側（図３では下端側）に固定される。固定用リング材３１２は、固定用リング材３１２内を通過する信号線１０６を保持する。固定用リング３１２は、たとえば、プラスチックなどを用いて、信号線１０６の直径に比べ、或る程度大きい内周円直径を有したリング状に形成される。
【００４２】
スライダ３２０は、移動用リング材３２１を備えている。スライダ３２０は、スライド溝３１１に嵌め込まれ、スライド溝３１１に沿ってスライド自在に、ホルダ３１０によって保持される。移動用リング材３２１は、移動用リング材３２１内を通過する信号線１０６を保持する。移動用リング３２１は、たとえば、プラスチックなどを用いて、信号線１０６の直径に比べ、或る程度大きい内周円直径を有したリング状に形成される。
【００４３】
図４は、実施の形態１の配線保持装置を示す断面図である。図４に示したように、スライダ３２０は、スライド溝３１１上面に設けられた規制部材３１３と当接しており、ホルダ３１０と、スライダ３２０とが脱離する方向への移動が規制される。
【００４４】
（実施の形態１の配線保持装置の動作）
つぎに、実施の形態１の配線保持装置１０７の動作について説明する。作業者は、まず、信号線１０６を用いて、受信アンテナ１０４と検出器１０５との接続をおこなう。この際に、あらかじめ、信号線１０６を配線保持装置１０７に必要に応じて、所定回数（たとえば、２回）、巻回しておく。信号線１０６の配線保持装置１０７への巻回は、移動用リング材３２１と固定用リング材３１２とのそれぞれのリング材を交互に通過させるようにして巻回する。巻き径は、本体部１０１ａを機枠１０１ｂに対して、完全に開放した状態で、なるべく固定用リング材３１２に近いところに移動用リング材３２１がくるような巻き径で巻回するとよい。なお、図３に示した配線保持装置１０７は、本体部１０１ａが機枠１０１ｂに対して閉じられている状態であり、そのときの信号線１０６の巻き径は、Ｌ1となっている。
【００４５】
図５は、実施の形態１の配線保持装置を適用したパチンコ遊技機を示す背面図（その２）である。パチンコ遊技機１０１は、たとえば、メンテナンスがおこなわれる際に、機枠１０１ｂに対して、本体部１０１ａが軸Ａを回転軸として、正面側へ回動され開放される。このとき、信号線１０６は、一端側１０６ａが、他端側１０６ｂから遠ざかるように変位する。これにより、信号線１０６は引っ張られ、配線保持装置１０７が保持する信号線１０６が配線保持装置１０７外部へ繰り出される。繰り出された信号線１０６の長さに応じて、配線保持装置１０７が保持する信号線１０６の巻き径が小さくなる。これにより、スライダ３２０は、固定用リング材３１２に近づくようにスライドする。
【００４６】
図６は、実施の形態１の配線保持装置を示す斜視図（その２）である。図６に示したように、本体部１０１ａが機枠１０１ｂに対して完全に開かれた状態では、配線保持装置３０１が保持する信号線１０６の巻き径は、Ｌ2（Ｌ1＞Ｌ2）となる。
【００４７】
ここで、信号線１０６は、上述したように、所定の形状から変形させた場合に、変形させた量に応じて、復元力が生じる。これにより、巻回された信号線１０６は、巻き径を大きくする方向への復元力が働き、復元力は、信号線１０６の巻き径が小さくなるほど大きくなる。
【００４８】
つぎに、本体部１０１ａが軸Ａを回転軸として、背面側に閉じられる場合には、信号線１０６の一端側１０６ａが、他端側１０６ｂに近づくように変位する。これにより、信号線１０６を引っ張っている力が減少する。信号線１０６を引っ張っている力が減少した場合、信号線１０６の復元力により、信号線１０６が配線保持装置１０７に引き込まれる。これにより、配線保持装置１０７が保持する信号線１０６の巻き径は、引き込まれた信号線１０６の長さに応じて大きくなる。これにより、スライダ３２０は、固定用リング材３１２から離間するようにスライドする。そして、本体部１０１ａが機枠１０１ｂに対して完全に閉じられた場合には、信号線１０６の巻き径がＬ1となる。
【００４９】
また、信号線１０６が復元力を有さない場合（復元力が小さい場合）においても、配線保持装置１０７は、適用することができる。この場合には、配線保持装置１０７が固定されていない構成であると、配線保持装置１０７の重量で信号線１０６が撓み、本体部１０１ａと機枠１０１ｂとの間に信号線１０６が挟まれる恐れがあるため、配線保持装置１０７を、本体部１０１ａと機枠１０１ｂとの境界付近を避けて、本体部１０１ａの背面に固定することが好ましい。
【００５０】
また、たとえば、信号線１０６が復元力を有さない場合には、スライダ３２０は作業者が直接スライドさせ、所望の信号線１０６の長さを得る。信号線１０６の長くしたい場合には、巻回された信号線１０６の巻き径を小さくする方向へスライドさせる。これにより、配線保持装置１０７が保持していた信号線１０６が配線保持装置１０７外部へ繰り出され、信号線１０６を長くすることができる。信号線１０６を短くしたい場合には、巻回された信号線１０６の巻き径を大きくする方向へスライドさせる。これにより、信号線１０６が配線保持装置１０７内部に引き込まれ、信号線１０６を短くすることができる。このように、スライダ３２０をスライドさせることにより、接続作業終了後にも、容易に信号線１０６の長さを調節することができる。これにより、信号線１０６の長さの管理を容易にして、配線作業における作業性を向上させることができる。
【００５１】
上述したように、実施の形態１の配線保持装置１０７によれば、信号線１０６を簡単な構造で保持することができる。これにより、配線保持装置１０７の製造時のコストを抑えることができるとともに、故障が発生する可能性を軽減させることができ、故障時にも修理や交換を容易におこなうことができる。
【００５２】
また、実施の形態１の配線保持装置１０７によれば、信号線１０６の復元力を利用することで、巻回された信号線１０６は、配線保持装置１０７内部に信号線１０６が引き込まれるように作用し、配線保持装置１０７は、図１および図５に示すように、本体部１０１ａがどのような開閉状態であっても、信号線１０６の撓みを防止することができる。これにより、信号線１０６が、作業者の手に引っかかったり、本体部１０１ａと機枠１０１ｂとの間に挟まれたりすることを防止し、配線作業の作業性を向上させることができる。
【００５３】
以上、説明したように実施の形態１の配線保持装置１０７は、信号線１０６を簡単な構造で保持できるとともに、保持された信号線１０６の巻き径を変化させることで信号線１０６の長さを管理できる。これにより、非接触ＩＣタグ１０３（受信アンテナ１０４）の取り付け位置を選ばず、信号線１０６の復元力を利用し、配線保持装置１０７内部に信号線１０６を引き込ませることで、本体部１０１ａの開閉状態がどのような状態であっても信号線１０６の撓みを防止することができる。
【００５４】
（実施の形態２）
（実施の形態２の配線保持装置の構成）
つぎに、この発明の実施の形態２にかかる配線保持装置について説明する。実施の形態２は、実施の形態１と同一部分は同一符号とし、説明を省略する。図７は、実施の形態２の配線保持装置を示す斜視図（その１）である。
【００５５】
図７に示すように、実施の形態２の配線保持装置７００は、実施の形態１の配線保持装置１０７にバネを備え、スライダを所定の方向に付勢させたものである。すなわち、実施の形態２の配線保持装置７００は、信号線１０６と、保持部材７０１とを備え、保持部材７０１は、ホルダ７１０と、スライダ７２０とを備える。
【００５６】
ホルダ７１０は、実施の形態１のホルダ３１０と同等の外形寸法で形成されており、スライド溝３１１が形成されている。固定用リング材３１２は、ホルダ７１０の長手方向の一端側（図７では下端側）に固定される。スライダ７２０は、移動用リング材３２１を備え、ホルダ７１０にスライド自在に保持されている。
【００５７】
図８は、実施の形態２の配線保持装置を示す断面図である。図８に示したように、バネ７１４は、スライド溝３１１の長手方向の一端側（図８では上端側）の面と、スライダ７２０とを接続する。バネ７１４は、スライダ７２０を図８中符号Ｂで示す方向に付勢する（引っ張る）。
【００５８】
（実施の形態２の配線保持装置の動作）
つぎに、実施の形態２の配線保持装置７００の動作について説明する。作業者は、まず、信号線１０６を用いて、受信アンテナ１０４と検出器１０５との接続をおこなう。この際に、あらかじめ、信号線１０６を配線保持装置７００に必要に応じて、所定回数（たとえば、２回）、巻回しておく。信号線１０６の配線保持装置７００への巻回は、移動用リング材３２１と固定用リング材３１２とのそれぞれのリング材を交互に通過させるようにして巻回する。巻き径は、本体部１０１ａを機枠１０１ｂに対して、完全に開放した状態で、なるべく固定用リング材３１２に近いところに移動用リング材３２１がくるような巻き径で巻回するとよい。
【００５９】
機枠１０１ｂに対して、本体部１０１ａが軸Ａを回転軸として、正面側へ回動され開放されたとき、信号線１０６は、一端側１０６ａが、他端側１０６ｂから遠ざかるように変位する。これにより、信号線１０６は引っ張られ、配線保持装置７００が保持する信号線１０６が配線保持装置７００外部へ繰り出される。
【００６０】
図９は、実施の形態２の配線保持装置を示す斜視図（その２）である。繰り出された信号線１０６の長さに応じて、配線保持装置７００が保持する信号線１０６の巻き径が小さくなる。これにより、スライダ７２０は、固定用リング材３１２に近づくようにスライドする。
【００６１】
つぎに、本体部１０１ａが軸Ａを回転軸として、背面側に閉じられる場合には、信号線１０６の一端側１０６ａが、他端側１０６ｂに近づくように変位する。これにより、信号線１０６を引っ張っている力が減少する。ここで、スライダ７２０は、上述したように、バネ７１４によって、図８中符号Ｂで示す方向へ付勢されている。これにより、配線保持装置７００は、巻回されている信号線１０６を、巻き径を大きくする方向に付勢し、信号線１０６を配線保持装置７００内に引き込むように作用する。これにより、配線保持装置７００が保持する信号線１０６の巻き径は、引き込まれた信号線１０６の長さに応じて大きくなる。
【００６２】
信号線１０６は、本体部１０１ａが閉じた状態（一端側１０６ａが他端側１０６ｂから近い位置にある状態）においては巻き径が大きくなり、本体部１０１ａが開いた状態（一端側１０６ａが他端側１０６ｂから遠い位置にある状態）においては、巻き径が小さくなる。すなわち、信号線１０６は、信号線１０６を引っ張る力が弱い状態において、バネ７１４の付勢力によって、配線保持装置７００に引き込まれる。
【００６３】
上述したように、実施の形態２の配線保持装置７００によれば、信号線１０６を簡単な構造で保持することができる。これにより、配線保持装置７００の製造時のコストを抑えることができるとともに、故障が発生する可能性を軽減させることができ、故障時にも修理や交換を容易におこなうことができる。
【００６４】
また、実施の形態２の配線保持装置７００によれば、信号線１０６の巻き径を大きくする方向に付勢することにより、信号線１０６の撓みを防止して、本体部１０１ａがどのような開閉状態であっても、信号線１０６の撓みを防止することができる。これにより、信号線１０６が、作業者の手に引っかかったり、本体部１０１ａと機枠１０１ｂとの間に挟まれたりすることを防止し、配線作業の作業性を向上させることができる。
【００６５】
また、実施の形態２の配線保持装置７００における信号線は、実施の形態１と同様の信号線１０６として図示および説明をしたが、実施の形態２では、バネ７１４が付勢力を持つため、復元力を有さない信号線を用いても同様の効果を得ることができる。
【００６６】
以上、説明したように実施の形態２の配線保持装置７００は、信号線１０６を簡単な構造で保持できるとともに、保持された信号線１０６の巻き径を変化させることで信号線１０６の長さを管理できる。これにより、非接触ＩＣタグ１０３（受信アンテナ１０４）の取り付け位置を選ばず、バネ７１４の付勢力を利用し、配線保持装置７００内部に信号線１０６を引き込ませることで、本体部１０１ａの開閉状態がどのような状態であっても信号線１０６の撓みを防止することができる。
【００６７】
また、実施の形態１および２では、配線保持装置は、信号線の円周上の２点を保持することとしたが、２点に限るものではない。以下に説明する実施の形態３は、巻回された信号線を４点で保持することとした一例である。
【００６８】
（実施の形態３）
（実施の形態３の配線保持装置の構成）
つぎに、この発明の実施の形態３にかかる配線保持装置について説明する。実施の形態３は、実施の形態１および実施の形態２と同一部分は同一符号とし、説明を省略する。図１０は、実施の形態３の配線保持装置を示す斜視図（その１）である。
【００６９】
図１０に示したように、実施の形態３の配線保持装置１０００は、信号線１０６と、保持部材１００１とを備え、保持部材１００１は、ホルダ１０１０と、スライダ１０２０ａ〜１０２０ｄとを備える。ホルダ１０１０は、たとえば、プラスチックなどを用いて、十字状に形成される。ホルダ１０１０には、スライド溝１０１１が、ホルダ１０１０の形状に沿って十字状に形成されており、スライド溝１０１１には、スライダ１０２０ａ、１０２０ｂ、１０２０ｃ、１０２０ｄが嵌め込まれている。スライダ１０２０ａ〜１０２０ｄは、それぞれ、移動用リング材３２１ａ〜３２１ｄを備えている。
【００７０】
図１１は、実施の形態３の配線保持装置を示す断面図である。図１１に示したように、スライダ１０２０ａ〜１０２０ｃは、スライド溝１０１１上面に設けられた規制部材１０１３と当接しており、ホルダ１０１０と、スライダ１０２０ａ〜１０２０ｃとが脱離する方向への移動が規制される。なお、図１１に図示しないスライダ１０２０ｄも、同様にして、ホルダ１０１０と脱離する方向への移動が規制される。
【００７１】
また、各スライダは、対向して設けられたスライダと、バネ１０１４ａまたはバネ１０１４ｂにより接続され、互いが離間する方向へ付勢される。なお、図１１に示したように、バネ１０１４ｂはバネ１０１４ａの背面に位置づけられており、バネ１０１４ａとバネ１０１４ｂとは互いに干渉しないように設けられている。
【００７２】
（実施の形態３の配線保持装置の動作）
つぎに、実施の形態３の配線保持装置の動作について説明する。作業者は、まず、信号線１０６を用いて、受信アンテナ１０４と検出器１０５との接続をおこなう。この際に、あらかじめ、信号線１０６を配線保持装置１０００に必要に応じて、所定回数（たとえば、２回）、巻回しておく。信号線１０６の配線保持装置１０００への巻回は、スライダ１０２０ａ〜１０２０ｄに設けられた各移動用リング材３２１ａ〜３２１ｄを順次通過させるようにして巻回する。巻き径は、本体部１０１ａを機枠１０１ｂに対して、完全に開放した状態で、なるべく各移動用リング材３２１ａ〜３２１ｄがホルダ１０１０の中心に近いところにくるような巻き径で巻回するとよい。
【００７３】
機枠１０１ｂに対して、本体部１０１ａが軸Ａを回転軸として、正面側へ回動され開放されたとき、信号線１０６は、一端側１０６ａが、他端側１０６ｂから遠ざかるように変位する。これにより、信号線１０６は引っ張られ、配線保持装置１０００が保持する信号線１０６が配線保持装置１０７外部へ繰り出される。
【００７４】
図１２は、実施の形態３の配線保持装置を示す斜視図（その２）である。繰り出された信号線１０６の長さに応じて、配線保持装置１０７が保持する信号線１０６の巻き径が小さくなる。これにより、スライダ１０２０ａ〜１０２０ｄは、ホルダ１０１０の中心に近づくようにスライドする。
【００７５】
つぎに、本体部１０１ａが軸Ａを回転軸として、背面側に閉じられる場合には、信号線１０６の一端側１０６ａが、他端側１０６ｂに近づくように変位する。これにより、信号線１０６を引っ張っている力が減少する。ここで、上述したように、各スライダ１０２０ａ〜１０２０ｄは、互いに対向して設けられたスライダから離間する方向に付勢されている。これにより、配線保持装置１０００は、巻回された信号線１０６の巻き径を大きくする方向に付勢し、信号線１０６を配線保持装置１０００内部に引き込むように作用する。
これにより、配線保持装置１０７が保持する信号線１０６の巻き径は、引き込まれた信号線１０６の長さに応じて大きくなる。
【００７６】
巻回された信号線１０６は、本体部１０１ａが閉じた状態（一端側１０６ａが他端側１０６ｂから近い位置にある状態）においては巻き径が大きくなり、本体部１０１ａが開いた状態（一端側１０６ａが他端側１０６ｂから遠い位置にある状態）においては、巻き径が小さくなる。すなわち、信号線１０６は、引っ張る力が弱い状態においては、バネ１０１４ａ、１０１４ｂの付勢力によって、配線保持装置１０００に引き込まれる。
【００７７】
上述したように、実施の形態３の配線保持装置１０００によれば、信号線１０６を簡単な構造で保持することができる。これにより、配線保持装置１０００の製造時のコストを抑えることができるとともに、故障が発生する可能性を軽減させることができ、故障時にも修理や交換を容易におこなうことができる。
【００７８】
また、実施の形態３の配線保持装置１０００によれば、信号線１０６の巻き径を大きくする方向に付勢することにより、信号線１０６の撓みを防止して、本体部１０１ａがどのような開閉状態であっても、信号線１０６の撓みを防止することができる。これにより、信号線１０６が、作業者の手に引っかかったり、本体部１０１ａと機枠１０１ｂとの間に挟まれたりすることを防止し、配線作業の作業性を向上させることができる。
【００７９】
また、実施の形態３の配線保持装置１０００によれば、巻回された信号線１０６の円周上の４点を保持することにより、実施の形態１および２と比べて、より安定して信号線１０６を保持することができる。また、巻回された信号線１０６の形状が真円に近い形状になるので、楕円形状になってしまう場合に比べて、より長い信号線１０６を保持することができる。
【００８０】
また、実施の形態３の配線保持装置１０００における信号線は、実施の形態１と同様の信号線１０６として図示および説明をしたが、実施の形態３では、バネ１０１４ａ、１０１４ｂが付勢力を持つため、実施の形態２と同様に、復元力を有さない信号線を用いても同様の効果を得ることができる。
【００８１】
以上、説明したように実施の形態３の配線保持装置１０００は、信号線１０６を簡単な構造で保持できるとともに、保持された信号線１０６の巻き径を変化させることで信号線１０６の長さを管理できる。これにより、非接触ＩＣタグ１０３（受信アンテナ１０４）の取り付け位置を選ばず、バネ１０１４ａ、１０１４ｂの付勢力を利用し、配線保持装置１０００内部に信号線１０６を引き込ませることで、本体部１０１ａの開閉状態がどのような状態であっても信号線１０６の撓みを防止することができる。
【００８２】
以上に説明した実施の形態１〜３では、信号線１０６の一端側１０６ａを受信アンテナ１０４と半田付けし、他端側１０６ｂを検出器１０５の端子と端子接続することとしたが、信号線１０６の両端部１０６ａ、１０６ｂに受信アンテナ１０４や検出器１０５との接続を固定する固定部材を設けることとしてもよい。これにより、信号線１０６に大きな力が生じた場合においても、両端部１０６ａ、１０６ｂが受信アンテナ１０４や検出器１０５と固定され、はずれることなく、信号を送受することができる。
【００８３】
固定部材として、たとえば、コネクタを用いて、受信アンテナ１０４や検出器１０５との接続を固定することとしてもよい。また、この際に、より強固に接続を固定する抜け止め構造を有するコネクタを用いることとしてもよい。また、信号線１０６の両端部１０６ａ、１０６ｂの絶縁体被覆部分にホットメルト接着剤を用いて、受信アンテナ１０４や検出器１０５との接続を固定することとしてもよい。
【００８４】
また、実施の形態１〜３では、配線保持装置を固定せず、信号線１０６にぶら下がった構成としたが、配線保持装置を、たとえば、本体部１０１ａ背面の任意の位置に固定することとしてもよい。この場合、本体部１０１ａと、機枠１０１ｂとの境界付近を避けて固定することが好ましい。これにより、信号線１０６が、本体部１０１ａと機枠１０１ｂとの間に挟まれることを防止することができる。
【００８５】
また、実施の形態１〜３では、信号線１０６を２回、巻回することを例として説明したが、これに限らない。たとえば、信号線１０６が必要以上に長い場合には、巻回回数を増やすこととしてもよい。また、巻回回数を配線保持装置における信号線１０６の繰り出す長さ・引き込む長さから選択することとしてもよい。たとえば、巻回回数が２回の場合と、巻回回数が３回の場合と、を比較した場合、巻回回数が３回の場合の方が、信号線１０６を、より長く配線保持装置１０７内部に引き込むことができる。すなわち、引き込む（繰り出す）信号線１０６の長さから、巻回回数を選択することとしてもよい。これにより、信号線１０６の長さを管理し、信号線１０６の長さをそれぞれの状況に応じて、最適な長さにすることができ、本体部１０１ａに対する非接触ＩＣタグ１０３（受信アンテナ１０４）の取り付け位置を選ばず、柔軟に配設することができる。
【００８６】
以上、説明したように、この発明の配線保持装置によれば、信号線１０６を簡単な構造で保持できるとともに、信号線１０６の繰り出しに対して、保持している信号線１０６の巻き径が変化し、撓みを防止し、また、非接触ＩＣタグ１０３（受信アンテナ１０４）の取り付け位置を選ばず、接続作業の終了後にも容易に信号線の長さを調節できる。
【産業上の利用可能性】
【００８７】
以上のように、本発明は、パチンコ遊技機や回胴遊技機などの各種遊技機に設けられた信号線を保持する配線保持装置に関し、特に、各種遊技機に設けられた非接触ＩＣタグと、当該非接触ＩＣタグから受信した信号情報に基づいて不正行為を検出する検出装置とを接続する信号線を保持する配線保持装置に適している。
【図面の簡単な説明】
【００８８】
【図１】実施の形態１の配線保持装置を適用したパチンコ遊技機を示す背面図（その１）である。
【図２】実施の形態１の配線保持装置を適用したパチンコ遊技機を示す正面図である。
【図３】実施の形態１の配線保持装置を示す斜視図（その１）である。
【図４】実施の形態１の配線保持装置を示す断面図である。
【図５】実施の形態１の配線保持装置を適用したパチンコ遊技機を示す背面図（その２）である。
【図６】実施の形態１の配線保持装置を示す斜視図（その２）である。
【図７】実施の形態２の配線保持装置を示す斜視図（その１）である。
【図８】実施の形態２の配線保持装置を示す断面図である。
【図９】実施の形態２の配線保持装置を示す斜視図（その２）である。
【図１０】実施の形態３の配線保持装置を示す斜視図（その１）である。
【図１１】実施の形態３の配線保持装置を示す断面図である。
【図１２】実施の形態３の配線保持装置を示す斜視図（その２）である。
【図１３】従来のパチンコ遊技機を示す背面図（その１）である。
【図１４】従来のパチンコ遊技機を示す背面図（その２）である。
【符号の説明】
【００８９】
１０１  パチンコ遊技機
１０２  遊技媒体貸出装置
１０３  非接触ＩＣタグ
１０４  受信アンテナ
１０５  検出器
１０６  信号線
１０７  配線保持装置
【図１】
2008307341.tif 000003
【図２】
2008307341.tif 000004
【図３】
2008307341.tif 000005
【図４】
2008307341.tif 000006
【図５】
2008307341.tif 000007
【図６】
2008307341.tif 000008
【図７】
2008307341.tif 000009
【図８】
2008307341.tif 000010
【図９】
2008307341.tif 000011
【図１０】
2008307341.tif 000012
【図１１】
2008307341.tif 000013
【図１２】
2008307341.tif 000014
【図１３】
2008307341.tif 000015
【図１４】
2008307341.tif 000016